(57)【要約】      （修正有）【課題】水面に浮くだけでなく、水中に浮かぶことができる浮遊性水中玩具を提供する。【解決手段】浮遊性水中玩具Ｔは、内部に空洞１０を有すると共に、空洞１０に臨むように設けられた開口部１１とを有した玩具本体１を備え、玩具本体１は、水の比重より小さい。【選択図】図３
2012075668.tif 000002
【特許請求の範囲】
【請求項１】
内部に空洞を有すると共に、前記空洞に臨むように設けられた開口部とを有した玩具本体を備え、
前記玩具本体は、水の比重より小さい
ことを特徴とする浮遊性水中玩具。
【請求項２】
内部に空洞を有すると共に、前記空洞に臨むように設けられた開口部とを有した玩具本体と、
この玩具本体に取り付けられたおもりとを有し、
前記玩具本体は、水の比重より小さい
ことを特徴とする浮遊性水中玩具。
【請求項３】
内部に空洞を有すると共に、前記空洞に臨むように設けられた開口部とを有し、外形が魚形状をなした玩具本体と、
この玩具本体に取り付けられたおもりと、
前記玩具本体の先端に取り付けられた被係止部とを備え、
前記玩具本体は、水の比重より小さく、
前記被係止部は、釣り竿から垂らした玩具用針に係止するものである
ことを特徴とする浮遊性水中玩具。
【請求項４】
開口部に水の侵入を防ぐためのシール部材が設けられている
請求項１〜３のいずれか１項に記載の浮遊性水中玩具。
【発明の詳細な説明】
【技術分野】
【０００１】
本発明は、浮遊性水中玩具に係り、特に、水面に浮くだけでなく、水中に浮かぶことができる浮遊性水中玩具に関する。
【背景技術】
【０００２】
従来、複数の独立気泡樹脂板を多層に重ね合わせ、これら独立気泡樹脂板の層間に錘部材を挾持させ、これらを一体に接合してなる浮遊性水中玩具（特許文献１参照）がある。
【先行技術文献】
【特許文献】
【０００３】
【特許文献１】特開平８−８９６６５号公報
【発明の概要】
【発明が解決しようとする課題】
【０００４】
しかしながら、上述の浮遊性水中玩具にあっては、水中に浮かぶことはできても、水面に浮かべたり、また、使用者の好みに応じて、水深位置を浅く又は深くと可変することができないという問題点があった。
【０００５】
本発明は、上記の問題点を除去するように水面に浮くだけでなく、水深を可変させて水中に浮かぶことができる浮遊性水中玩具を提供することを目的とする。
【課題を解決するための手段】
【０００６】
請求項１記載の浮遊性水中玩具は、内部に空洞を有すると共に、前記空洞に臨むように設けられた開口部とを有した玩具本体を備え、前記玩具本体は、水の比重より小さいものである。
【０００７】
また、請求項２記載の浮遊性水中玩具は、内部に空洞を有すると共に、前記空洞に臨むように設けられた開口部とを有した玩具本体と、この玩具本体に取り付けられたおもりとを備え、前記玩具本体は、水の比重より小さいものである。
【０００８】
また、請求項３記載の浮遊性水中玩具は、内部に空洞を有すると共に、前記空洞に臨むように設けられた開口部とを有し、外形が魚形状をなした玩具本体と、この玩具本体に取り付けられたおもりと、前記玩具本体の先端に取り付けられた被係止部とを備え、前記玩具本体は、水の比重より小さく、前記被係止部は、釣り竿から垂らした玩具用針に係止するものである。
【０００９】
また、請求項４記載の浮遊性水中玩具は、請求項１〜３のいずれか１項に記載の浮遊性水中玩具において、開口部に水の侵入を防ぐためのシール部材が設けられているものである。
【発明の効果】
【００１０】
請求項１記載の浮遊性水中玩具によれば、玩具本体の空洞内に水を入れなければ、水面上に浮かび、しかも、玩具本体の空洞内に好みの量の水を入れれば、つまり、少なければ、水深が浅い位置で、多ければ、水深が深い位置で玩具本体を浮遊させて、幼児等が楽しむことができる。
【００１１】
また、請求項２記載の浮遊性水中玩具によれば、玩具本体の空洞内に水を入れなければ、水面上に浮かび、しかも、玩具本体の空洞内に好みの量の水を入れれば、つまり、少なければ、水深が浅い位置で、多ければ、水深が深い位置で玩具本体を浮遊させて、幼児等が楽しむことができる。
【００１２】
また、請求項３記載の浮遊性水中玩具によれば、玩具本体の空洞内に水を入れなければ、水面上に浮かび、しかも、玩具本体の空洞内に好みの量の水を入れれば、つまり、少なければ、水深が浅い位置で、多ければ、水深が深い位置で玩具本体を浮遊させ、更に、玩具本体は外形が魚形状をなしているため、幼児等が適宜の水深位置での魚釣りを楽しむことができる。
【００１３】
また、請求項４記載の浮遊性水中玩具によれば、請求項１〜３記載の発明の効果に加え、開口部に水の侵入を防ぐためのシール部材を設けることにより、玩具本体の空洞内に好みの量の水を入れれば、適宜の水深位置を保つことができる。
【図面の簡単な説明】
【００１４】
【図１】図１は、本発明の一実施例の浮遊性水中玩具の概略的正面図である。
【図２】図２は、図１の２−２線による概略的断面図である。
【図３】図３は、図１の浮遊性水中玩具の概略的構成図である。
【図４】図４は、図１の浮遊性水中玩具の内部に水を封入する状態の概略的断面図である。
【図５】図５は、図４の浮遊性水中玩具を角度を変えて示す概略的断面図である。
【図６】図６は、図１の浮遊性水中玩具の内部に封入された水の量により、浮遊性水中玩具の水深位置が変わる状態の概略的断面図である。
【図７】図７は、本発明の一実施例の浮遊性水中玩具の浮遊性水中玩具の使用態様の概略的図である。
【発明を実施するための形態】
【００１５】
本発明の一実施例の浮遊性水中玩具を図面を参照して説明する。
図１〜図７に示すＴは浮遊性水中玩具で、１は内部に空洞１０を有すると共に、空洞１０に臨むように設けられた開口部１１とを有した玩具本体である。
【００１６】
玩具本体１は、例えば、プラスティック製で、外形が魚形状をなし、ブロー成型により形成することができる。
また、玩具本体１は、水の比重より小さく、空洞１０内に水を入れていない状態では、水面に浮き（図示せず）、空洞１０内の水の封入量で、つまり、封入量が少なければ、水深が浅い位置で、封入量が多ければ、水深が深い位置で玩具本体１を浮遊させることができる（図６及び図７参照）。
なお、空洞１０内への水の封入は、例えば、図４及び図５に示すように、玩具本体１を押圧することにより行うことができる。また、本実施例の玩具本体１にあっては、外形が魚形状をなしているが、本願発明の玩具本体１にあっては、魚形状に限らず、図示しないが貝類形状、甲殻類形状、潜水艦形状等でも良い。
【００１７】
また、２は、玩具本体１に取り付けられたおもり（例えば、ビス）で、３は、玩具本体１の先端に取り付けられた被係止部（例えば、リング部）である。被係止部３は、釣り竿４から垂らした玩具用針５に係止するようになっている。
【００１８】
従って、上述した浮遊性水中玩具Ｔによれば、玩具本体１の空洞１０内に水を入れなければ、水面上に浮かび、しかも、玩具本体１の空洞１０内に好みの量の水を入れれば、つまり、少なければ、水深が浅い位置で、多ければ、水深が深い位置で玩具本体１を浮遊させて、幼児等が楽しむことができる。
また、玩具本体１の外形が魚形状をなしていると、幼児等が適宜の水深位置での魚釣りを楽しむことができる。
【００１９】
また、本実施例にあっては、おもり２を用いたが、場合により省略しても良い。また、本実施例にあっては、開口部１１を開放状態にしたが、開口部１１に水の侵入を防ぐためにシール部材を設け、玩具本体１を適宜の水深位置を保つようにしても良い。該シール部材は、図示しないが、例えば、栓（蓋）、テープ等である。
また、本実施例にあっては、玩具本体１と被係止部３を別体に形成しているが、本願発明にあっては、これに限らず、玩具本体１と被係止部３を一体に形成しても良い。
【符号の説明】
【００２０】
Ｔ      浮遊性水中玩具
１      玩具本体
１０    空洞
１１    開口部
【図１】
2012075668.tif 000003
【図２】
2012075668.tif 000004
【図３】
2012075668.tif 000005
【図４】
2012075668.tif 000006
【図５】
2012075668.tif 000007
【図６】
2012075668.tif 000008
【図７】
2012075668.tif 000009